(57)【要約】【課題】外部のＧＰＳ機器で測定したＧＰＳ情報をデジタルカメラで撮影した画像に付加する場合、ＧＰＳ機器とデジタルカメラの位置が離れていると、付加したＧＰＳ情報が正しくないことが考えられる。【解決手段】通信装置であって、通信回線を介して接続された複数の外部装置と通信する通信手段と、ＧＰＳ衛星から送信された信号に基づいて、現在位置を測位する測位手段と、測位した現在位置を記録する記録装置を持つ通信装置において、前記通信手段により前記外部装置毎に接続されているか否かを判定する判定手段と、前記判定手段により前記外部装置と接続状況に応じて測位情報の信頼度を判定し、前記測位手段で測位した現在位置情報に前記外部機器毎に測位情報信頼度情報を付加して前記記録装置に記録することを特徴とする。【選択図】図３
2019009571.tif 000002
【特許請求の範囲】
【請求項１】
通信装置であって、
通信回線を介して接続された複数の外部装置と通信する通信手段と、現在位置を測位する測位手段と、測位した現在位置を記録する記録装置を持つ通信装置において、
前記通信手段により前記複数の外部装置毎に接続されているか否かを判定する判定手段と、前記判定手段により前記外部装置と接続状況に応じて測位情報の信頼度を判定し、前記測位手段で測位した現在位置情報に前記外部機器毎に測位情報信頼度情報を付加して前記記録装置に記録することを特徴とする通信装置。
【請求項２】
前記通信装置と前記外部装置との通信手段は、有線接続であることを特徴とする請求項１に記載の通信装置。
【請求項３】
前記通信装置と前記外部装置との通信手段は、無線接続であることを特徴とする請求項１に記載の通信装置。
【請求項４】
前記通信装置と前記外部装置とが無線接続されている場合、接続形態に加え装置間の電波強度により、測位情報の信頼度を判定することを特徴とする請求項１に記載の通信装置。
【請求項５】
前記通信装置は、前記外部機器が接続されている場合に接続中の外部機器に対して測位したた現在位置情報と測位情報信頼度情報を直ちに送信することを特徴とする請求項１に記載の通信装置。
【請求項６】
通信装置のコンピュータを、請求項１乃至請求項５の何れか一項に記載の通信装置の各手段として機能させるコンピュータが読み取り可能なプログラム。
【発明の詳細な説明】
【技術分野】
【０００１】
本発明は、デジタルカメラで撮影した画像にＧＰＳ装置で記録したＧＰＳ情報を付加する技術に関する。
【背景技術】
【０００２】
デジタルカメラで撮影した画像にＧＰＳ情報を付加したいという要望がある。ＧＰＳを内蔵しないデジタルカメラでも、外部のＧＰＳ機器で測定したＧＰＳ情報を付加する技術が開示されている（特許文献１）。
【先行技術文献】
【特許文献】
【０００３】
【特許文献１】特開２０１５−３６６４４号公報
【発明の概要】
【発明が解決しようとする課題】
【０００４】
外部のＧＰＳ機器で測定したＧＰＳ情報をデジタルカメラで撮影した画像に付加する場合、ＧＰＳ機器とデジタルカメラの位置が離れていると、付加したＧＰＳ情報が正しくない事が考えられる。
【課題を解決するための手段】
【０００５】
上記の課題を解決するために、本発明に係る通信装置は、
通信回線を介して接続された複数の外部装置と通信する通信手段と、ＧＰＳ衛星から送信された信号に基づいて、現在位置を測位する測位手段と、測位した現在位置を記録する記録装置を持ち、前記通信手段により前記外部装置毎に接続されているか否かを判定する判定手段と、前記判定手段により前記外部装置と接続状況に応じて測位情報の信頼度を判定し、前記測位手段で測位した現在位置情報に前記外部機器毎に測位情報の信頼度を付加して前記記録装置に記録することを特徴とする。
【発明の効果】
【０００６】
本発明に係る通信装置によれば、外部のＧＰＳ機器で測定したＧＰＳ情報をデジタルカメラで撮影した画像に付加する場合、正しいＧＰＳ情報を付加することが可能となる。
【図面の簡単な説明】
【０００７】
【図１】デジタルカメラのハードウェア構成を示すブロック図である。
【図２】携帯端末のハードウェア構成を示すブロック図である。
【図３】システム構成を示す概念図である。
【図４】携帯端末アプリケーションの画面例である。
【図５】実施例１での携帯端末でＧＰＳログを記録する処理を示すフローチャートである。
【図６】実施例１での外部機器の接続状態におけるＧＰＳ情報の信頼度テーブルである。
【図７】実施例１での携帯端末で処理されるＧＰＳログ情報である。
【図８】実施例１での携帯端末でＧＰＳログを外部機器に送信する処理を示すフローチャートである。
【発明を実施するための形態】
【０００８】
以下、添付図面に従って本発明に係る実施形態を詳細に説明する。
【０００９】
［第１の実施形態］
図１は本発明の一実施形態に係わる一眼レフデジタルカメラ３０３，３０４の構成を示すブロック図である。
【００１０】
図１において、１０１は撮影レンズである。１０２はＡＦ（オートフォーカス）駆動部である。ＡＦ駆動部１０２は、例えばＤＣモータやステッピングモータによって構成され、マイクロコンピュータ１２３の制御によって撮影レンズ１０１のフォーカスレンズ位置を変化させることによりピントを合わせる。
【００１１】
１０３はズーム駆動部である。ズーム駆動部１０３は、例えばＤＣモータやステッピングモータによって構成され、マイクロコンピュータ１２３の制御によって撮影レンズ１０１の変倍レンズ位置を変化させることにより撮影レンズ１０１の焦点距離を変化させる。
【００１２】
１０４は絞りである。
【００１３】
１０５は絞り駆動部である。絞り駆動部１０５は、絞り１０４を駆動する。駆動されるべき量はマイクロコンピュータ１２３によって算出され、光学的な絞り値を変化させる。
【００１４】
１０６は撮影レンズ１０１から入射した光束をファインダ側と撮像素子側とに切替えるための主ミラーである。主ミラー１０６は常時はファインダ部へと光束を導くよう反射させるように配されているが、撮影が行われる場合には、撮像素子１１２へと光束を導くように上方に跳ね上がり光束中から待避する。また主ミラー１０６はその中央部が光の一部を透過できるようにハーフミラーとなっており、光束の一部を焦点検出を行うためのセンサに入射するように透過させる。
【００１５】
１０７は主ミラー１０６から透過してきた光束を反射させ焦点検出を行うためのセンサ（焦点検出回路１０９内に配置されている）に導くためのサブミラーである。
【００１６】
１０８はファインダーを構成するペンタプリズムである。ファインダーは他にピント板、アイピースレンズ（不図示）などによって構成させる。
【００１７】
１０９は焦点検出回路である。ミラー１０６の中央部を透過し、サブミラー１０７で反射された光束は、焦点検出回路１０９の内部に配置された光電変換を行うためのセンサに至る。フォーカス演算に用いるデフォーカス量は、センサの出力を演算することによって求められる。マイクロコンピュータ１２３は演算結果を評価してＡＦ駆動部１０２に指示し、フォーカスレンズを駆動させる。
【００１８】
１１０はフォーカルプレーンシャッタである。１１１はシャッタ駆動回路であり、フォーカルプレーンシャッタ１１０を駆動する。シャッタの開口時間はマイクロコンピュータ１２３によって、制御される。
【００１９】
１１２は撮像素子である。撮像素子１１２には、ＣＣＤやＣＭＯＳセンサなどが用いられ、撮影レンズ１０１によって結像された被写体像を電気信号に変換する。
【００２０】
１１３はクランプ回路である。１１４はＡＧＣ回路である。クランプ回路１１３やＡＧＣ回路１１４は、Ａ／Ｄ変換をする前の基本的なアナログ信号処理を行い、マイクロコンピュータ１２３により、クランプレベルやＡＧＣ基準レベルの変更が行われる。
【００２１】
１１５はＡ／Ｄ変換器である。Ａ／Ｄ変換器１１５は撮像素子１１２のアナログ出力信号をデジタル信号に変換する。１１６は映像・音声信号処理回路であり、ゲートアレイなどのロジックデバイスにより実現される。
【００２２】
１１７はＥＶＦ駆動回路である。１１８はＥＶＦ（電子ビューファインダ）モニタである。
【００２３】
１１９はメモリコントローラである。１２０はメモリである。１２１はコンピュータ等と接続可能な外部インタフェースである。１２２はバッファメモリである。
【００２４】
映像・音声信号処理回路１１６は、デジタル化された画像データに、フィルター処理、色変換処理、ガンマ処理を行うと共に、ＪＰＥＧなどの圧縮処理を行い、メモリコントローラ１１９に出力する。映像・音声信号処理回路１１６は、マイク１３２、または、音声ライン入力１３３からの音声信号の圧縮処理を行い、メモリコントローラ１１９に出力する。
【００２５】
映像・音声信号処理回路１１６は、撮像素子１１２からの映像信号や、メモリーコントローラ１１９から逆に入力される画像データを、ＥＶＦ駆動回路１１７を通してＥＶＦ（電子ビューファインダ）モニタ１１８に出力することも可能である。これらの機能切り替えはマイクロコンピュータ１２３の指示により行われる。映像・音声信号処理回路１１６は、必要に応じて撮像素子１１２の信号の露出情報やホワイトバランスなどの情報をマイクロコンピュータ１２３に出力することが可能である。それらの情報を基にマイクロコンピュータ１２３はホワイトバランスやゲイン調整の指示を行う。連続撮影動作の場合においては、一旦、未処理画像のままバッファメモリ１２２に撮影データを格納し、メモリコントローラ１１９を通して未処理の画像データを読み出し、映像・音声信号処理回路１１６にて画像処理や圧縮処理を行い連続撮影を行う。連像撮影枚数は、バッファメモリの大きさに左右される。
【００２６】
映像・音声信号処理回路１１６は、マイク１３２、または、音声ライン入力１３３からの音声データを、ＤＡ変換１３５を通してスピーカ１３６に出力することも可能である。
【００２７】
メモリコントローラ１１９では、映像・音声信号処理回路１１６から入力された未処理のデジタル画像・音声データをバッファメモリに格納し、処理済みのデジタル画像・音声データをメモリ１２０に格納する。また、逆にバッファメモリ１２２やメモリ１２０から画像・音声データを映像・音声信号処理回路部１１６に出力する。メモリ１２０は取り外し可能である場合もある。
【００２８】
メモリコントローラ１１９は、ＰＣ等と接続可能な外部インタフェース１２１を介してメモリ１２０に記憶されている画像・音声を出力可能である。
【００２９】
１２３はマイクロコンピュータである。１２４は操作部材である。操作部材１２４は、マイクロコンピュータ１２３にその状態を伝え、マイクロコンピュータ１２３はその操作部材の変化に応じて各部をコントロールする。
【００３０】
１２５はスイッチ１（以後ＳＷ１）である。１２６はスイッチ２（以後ＳＷ２）である。スイッチＳＷ１とスイッチＳＷ２は、レリーズボタンの操作でオンオフするスイッチであり、それぞれ操作部材１２４の入力スイッチのうちの１つである。スイッチＳＷ１のみオンの状態はレリーズボタン半押し状態であり、この状態でオートフォーカスの動作を行ったり、測光動作を行う。スイッチＳＷ１，ＳＷ２が共にオンの状態はレリーズボタンの全押し状態であり、画像を記録するためのレリーズボタンオン状態である。この状態で撮影が行われる。またスイッチＳＷ１，ＳＷ２がＯＮし続けている間は、連続撮影動作が行われる。操作部材１２４には、他に、ＩＳＯ設定ボタン、画像サイズ設定ボタン、画質設定ボタン、情報表示ボタンなど不図示のスイッチが接続されており、スイッチの状態が検出されている。
【００３１】
１２７は液晶駆動回路である。１２８は外部液晶表示部材である。１２９はファインダー内液晶表示部材である。液晶駆動回路１２７は、マイクロコンピュータ１２３の表示内容命令に従って、外部液晶表示部材１２８やファインダー内液晶表示部材１２９を駆動する。また、ファインダー内液晶表示部材１２９には、不図示のＬＥＤなどのバックライトが配置されており、そのＬＥＤも液晶駆動回路１２７で駆動される。マイクロコンピュータ１２３は撮影前に設定されているＩＳＯ感度、画像サイズ、画質に応じた、画像サイズの予測値データをもとに、メモリコントローラ１１９を通して、メモリの容量を確認した上で撮影可能残数を演算することができる。必要に応じて外部液晶表示部材１２８、ファインダー内液晶表示部材１２９にも表示することができる。
【００３２】
１３０は不揮発性メモリ（ＥＥＰＲＯＭ）で、カメラに電源が入れられていない状態でも、データを保存することができる。
【００３３】
１３１は電源部である。電源部１３１は、各ＩＣや駆動系に必要な電源を供給する。
【００３４】
１３２はマイクである。
【００３５】
１３３は音声のライン入力である
１３４はＡ／Ｄ変換器である。Ａ／Ｄ変換器１３３はマイク１３２、または、音声ライン入力１３３のアナログ出力信号をデジタル信号に変換する。
【００３６】
１３５はＤ／Ａ変換器である。Ｄ／Ａ変換器はデジタル信号をアナログ出力信号に変換する。
【００３７】
１３６スピーカである。
【００３８】
１３７はパーソナルコンピュータや携帯電話・携帯情報端末に代表される外部機器である。前述のインターフェイス１２１を介してカメラの各種情報や画像データの送受信の相手となる。また通信回路を備えたカメラも同様に外部機器として用いることも可能であり、その場合にはカメラ同士で各種情報や画像データの送受信を行うことも可能である。
【００３９】
図２は、本発明の一実施形態に係る携帯端末３０２のハードウェア構成を示すブロック図である。
【００４０】
携帯端末の例としては、いわゆるスマートフォンなどの携帯電話、タブレットデバイス、ＰＤＡ（Ｐｅｒｓｏｎａｌ  Ｄｉｇｉｔａｌ  Ａｓｓｉｓｔａｎｔ）、携帯型ＡＶプレイヤー、電子ブック、電子辞書等があげられる。
【００４１】
この携帯端末３０２は、ＣＰＵ２００、フラッシュメモリ２０１、ＲＡＭ２０２、内蔵カメラ２０３、マイク２０４、スピーカ２０５、イヤホン２０６、タッチパネル２１０、液晶表示部２１１、スイッチ２１２、通信部２１３、外部Ｉ／Ｆ２１４を有する。さらに携帯端末３０２は、ＧＰＳ（Ｇｌｏｂａｌ  Ｐｏｓｉｔｉｏｎｉｎｇ  Ｓｙｓｔｅｍ）センサ２０７や電子コンパス２０８などを有する。これらのほか、携帯端末３０２は、通話用のアンテナや通話用の通信モジュール等を有していてもよい。
【００４２】
ＣＰＵ２００は、携帯端末３０２で実行される処理を統括的に制御する。
【００４３】
ＲＡＭ２０２は、ＣＰＵ２００の作業領域として用いられ、ＣＰＵ２００が処理するコンテンツ等の各種データや、各種アプリケーションのプログラムを一時的に格納する。
【００４４】
フラッシュメモリ２０１は、内蔵カメラ２０３により撮像されたデジタル写真画像や動画像等の各種コンテンツやＣＰＵ２００が実行する各種制御プログラムや各種アプリケーションプログラムを記憶する。
【００４５】
液晶表示部２１１は、例えばＴＦＴ（Ｔｈｉｎ  Ｆｉｌｍ  Ｔｒａｎｓｉｓｔｏｒ）等のＬＣＤやＯＥＬＤ（Ｏｒｇａｎｉｃ  Ｅｌｅｃｔｒｏ−Ｌｕｍｉｎｅｓｃｅｎｃｅ  Ｄｉｓｐｌａｙ）であり、いわゆるＧＵＩを表示する。また液晶表示部２１１はタッチパネル２１０と一体的に設けられている。タッチパネル２１０は、アプリケーションの実行により写真やＧＵＩが表示された状態において、ユーザのタッチ操作を検出し、ＣＰＵ２００へ伝える。タッチパネル２１０の動作方式としては、例えば抵抗被膜方式や静電容量方式が用いられるが、その他の方式が用いられてもよい。タッチパネル２１０は、例えば、写真表示アプリケーションの実行中に、ユーザが写真を選択して全画面表示をしたり、ピンチインやピンチアウトによる画像の拡大や縮小したりも可能にしている。
【００４６】
スイッチ２１２は、例えば電源スイッチ、起動ボタン等、タッチパネル２１５では入力できないユーザの操作等を受け付け、入力信号をＣＰＵ２００へ伝える。
【００４７】
イヤホン２０６及びスピーカ２０５は、上記フラッシュメモリ２０１等に記憶された、または通信部２１３、外部Ｉ／Ｆ２１４等から入力された音声信号を出力する。
通信部２１３は、インターネットやＬＡＮ（Ｌｏｃａｌ  Ａｒｅａ  Ｎｅｔｗｏｒｋ）等のネットワークを介して、他の機器との間で通信処理を行う。当該通信部２１３は、無線ＬＡＮ（Ｌｏｃａｌ  Ａｒｅａ  Ｎｅｔｗｏｒｋ）モジュールや、Ｂｌｕｅｔｏｏｔｈ（登録商標）モジュール等を複数有していてもよい。
【００４８】
外部Ｉ／Ｆ（インタフェース）２１４は、例えばＵＳＢ（Ｕｎｉｖｅｒｓａｌ  Ｓｅｒｉａｌ  Ｂｕｓ）やＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）等の各種規格に準じて、データのやり取りを行う。
【００４９】
電源２１５は携帯端末３０２用の電源である。一般的にリチウムイオン電池などの充電型の電源が用いられている。
【００５０】
図３は、本実施形態に係るシステムの構成例を示す図である。
【００５１】
図３のＧＰＳ制御処理は、ＧＰＳ情報を送信するＧＰＳ衛星３０１、ＧＰＳ衛星３０１からのＧＰＳ情報３０５を受信するスマートフォン、タブレットなどの携帯端末３０２、携帯端末３０２と接続する２台のデジタル一眼レフカメラ（以下、デジタルカメラ）１（３０３）、デジタルカメラ２（３０４）で構成される。
【００５２】
本実施形態における携帯端末３０２は、ＧＰＳ衛星３０１から送信されるＧＰＳ情報３０５を受信する事により、携帯端末３０２の現在位置を測定する。なお、図３にはＧＰＳ衛星は１機のみ記載しているがＧＰＳ衛星３０１は複数存在し、３機以上のＧＰＳ衛星３０１からのＧＰＳ情報３０５を受信する事により、携帯端末３０２の位置を測位する事が出来る。
【００５３】
本実施形態におけるデジタルカメラ１（３０３）は、携帯端末３０２とＢＬＥ（Ｂｌｕｅｔｏｏｔｈ  Ｌｏｗ  Ｅｎｅｒｇｙ）通信３０６で無線接続している。また、デジタルカメラ２（３０４）は携帯端末３０２とＷｉ−Ｆｉ（Ｗｉｒｅｌｅｓｓ  Ｆｉｄｅｌｉｔｙ）通信３０７で無線接続している。
【００５４】
図４は、携帯端末３０２上でＧＰＳログ記録アプリを起動した際にＧＰＳログ記録・送信アプリケーション（以下、ＧＰＳアプリ）が表示するＧＵＩ画面である。この画面はＧＰＳアプリの起動とともに表示される。
【００５５】
ＧＰＳアプリ画面上には、ＧＰＳログ記録用としてＧＰＳログ記録ボタン（４０１）と、位置情報更新間隔設定ダイアログ（４０２）がある。
また、ＧＰＳログ送信用として、ＧＰＳログ送信ボタン（４０３）、ＧＰＳログ送信先選択ダイアログ（４０４）、ＧＰＳログ送信信頼度選択ダイアログ（４０５）がある。
【００５６】
図５は、ＧＰＳアプリ内で実行されるＧＰＳログ記録プログラムのフローチャートである。
【００５７】
図６は、接続状態におけるＧＰＳ情報の信頼度テーブルである。
【００５８】
ＵＳＢ接続の場合は、外部機器と携帯端末３０２とは有線接続で接続されているため、お互いの距離が近い事が保証されている。そのため、携帯端末３０２で受信したＧＰＳ測位情報を外部機器のＧＰＳ測位情報とし使用しても誤差が少ないためＧＰＳ信頼度は高となる。
【００５９】
一方、ＢＬＥ接続の場合は、ＢＬＥは短距離の無線通信であるが有線接続のＵＳＢに比べると、外部機器と携帯端末の距離が離れている可能性がある。そこで、携帯端末３０２とデジタルカメラ１（３０３）とのＢＬＥ接続の電波強度が強い場合は距離が近いと判断し信頼度は高、電波強度が弱い場合は距離がやや離れていると判断し信頼度は中となる。また、Ｗｉ−Ｆｉ接続の場合は、ＢＬＥに比べ長距離の無線通信が可能なため、外部機器と携帯端末の距離はＢＬＥ接続よりも離れている可能性が高いため、携帯端末３０２とデジタルカメラ２（３０４）とＷｉ−Ｆｉ接続の電波強度により信頼度を高〜低と判断する。
【００６０】
図７（ａ）は、携帯端末３０２に記録されるＧＰＳ記録ログ情報である。
【００６１】
ＧＰＳ記録ログ情報には、ＧＰＳを測位した測位時間、及び、ＧＰＳ測位位置情報から成るＧＰＳ情報と、携帯端末３０２に接続している外部機器の名称、及び、ＧＰＳ信頼度情報から成るＧＰＳ付帯情報から成る。また、ＧＰＳ付帯情報は携帯端末３０２に接続している外部機器の数分存在する。図７（ｂ）は、ＧＰＳ送信ログ情報である。ＧＰＳ送信ログ情報は、ＧＰＳを測位した測位時間、及び、ＧＰＳ測位位置情報から成る。
【００６２】
図８は、ＧＰＳアプリ内で実行されるＧＰＳログ送信プログラムのフローチャートである。
【００６３】
＜ＧＰＳログ記録＞
以下、図４から図７を用いて本実施形態のＧＰＳログ記録について詳細に説明する。
【００６４】
ＧＰＳアプリは図４のＧＰＳログ記録釦４０１が押されると、図５のフローチャートに則り処理を開始する。
【００６５】
まず、Ｓ１０１では、ＧＰＳログ記録が有効化の確認を行い有効の場合は、Ｓ１０２へ進み、無効の場合は処理を終了する。
【００６６】
Ｓ１０２では、携帯端末３０２のＧＰＳ２０７を用いてＧＰＳ衛星３０１から送られるＧＰＳ情報３０５の取得を開始する。
【００６７】
Ｓ１０３では、ＧＰＳ情報が測位できた場合はＳ１０４へ進み、取得できなかった場合は、ＧＰＳ情報のログ記録は行わずＳ１０８へ進む。
【００６８】
Ｓ１０４では、携帯端末３０２の通信部２１３及び、外部Ｉ／Ｆ２１４に外部機器が接続されているかのチェックを行う。外部機器が接続されている場合はＳ１０５へ進み、接続されていない場合はＳ１０７へ進む。
【００６９】
Ｓ１０５では、図６の接続状態信頼度テーブルを参照し、外部機器３０３，３０５の識別情報としての接続機器名称と接続状態に応じたＧＰＳ信頼度情報とを含むＧＰＳ付加情報を作成し、ＧＰＳを測位した時間、ＧＰＳ測位位置情報と合わせて、図７（ａ）に示すＧＰＳ記録ログ情報を作成する。
【００７０】
ＧＰＳ信頼度情報については、携帯端末３０２の外部機器として、デジタルカメラ１（３０３）とにデジタルカメラ２（３０４）が同時接続されている場合は、デジタルカメラ１（３０３）がＢＬＥで接続中であるため、図７のＧＰＳログ１の付帯情報１が付帯情報として作成される。また、デジタルカメラ２（３０４）がＷｉ−Ｆｉで接続中であるため、図７（ａ）のＧＰＳ記録ログ１の付帯情報２が付帯情報として作成される。
【００７１】
また、携帯端末３０２の外部機器として、デジタルカメラ１（３０３）のみが接続中の場合は、ＧＰＳ記録ログ２の付帯情報１のみが付帯情報として作成される。
【００７２】
Ｓ１０６ではＳ１０５で作成した、ＧＰＳログ情報を携帯端末３０２のフラッシュメモリ２０１に記録する。
【００７３】
Ｓ１０４で外部機器が接続されていない場合は、Ｓ１０７で図７（ａ）のＧＰＳ記録ログ３で示すＧＰＳを測位した時間とＧＰＳ測位位置情報のみを、ＧＰＳログ情報として携帯端末３０２のフラッシュメモリ２０１に記録する。
【００７４】
Ｓ１０８では、図４の４０２で設定されている位置情報更新間隔の時間分Ｗａｉｔ処理を行い、Ｓ１０１へ戻る。
【００７５】
以上説明したように、本実施形態の携帯端末３０２は、ＧＰＳログの記録が有効の期間中、受信したＧＰＳ情報に基づく測位位置情報と、接続中の外部機器３０３、３０４それぞれのＧＰＳ信頼度情報をＧＰＳログとして記録する。
【００７６】
＜ＧＰＳログ送信＞
以下、図４、図７、図８を用いて本実施形態のＧＰＳログ送信について詳細に説明する。
【００７７】
ＧＰＳログの送信先４０４と、ＧＰＳログ送信信頼度４０５を設定し、ＧＰＳログ送信釦４０３が押されると、図８のフローチャートに則り処理を開始する。
【００７８】
Ｓ２０１では、フラッシュメモリ２０１に記録されているＧＰＳログの付帯情報をチェックし、選択されている送信先４０４とＧＰＳ信頼度情報４０５に合致するもののみを抽出し、図７（ｂ）で示されるＧＰＳ送信ログ情報を作成する。
【００７９】
Ｓ２０２では、Ｓ２０１で作成したＧＰＳ送信ログ情報をデジタルカメラ１（３０３）に送信する。
【００８０】
Ｓ２０２で送信されたＧＰＳ送信ログ情報を受信したデジタルカメラ１（３０３）は、カメラ内の画像の撮影時間とＧＰＳ送信ログ情報のＧＰＳ測位時間とを比較し、撮影時間に近い測位時間のＧＰＳ測位位置情報を撮影画像に付加する。
【００８１】
また、上記実施例ではデジタルカメラ３０３、３０４と接続中は携帯端末３０２にＧＰＳログ記録しておき、後にＧＰＳログをデジタルカメラに送信していたが、接続中にＧＰＳログ記録と同時に、デジタルカメラ３０３，３０４にＧＰＳ情報を送信してもよい。その場合、ＧＰＳアプリ側で設定したＧＰＳログ信頼度４０５の設定に一致する場合のみ、デジタルカメラ３０３，３０４に送信してもよいし、携帯端末３０２からＧＰＳ情報と、ＧＰＳ信頼度情報を送信し、デジタルカメラ側でＧＰＳ信頼度を判断し、撮影画像にＧＰＳ情報を付加するか判断してもよい。
【００８２】
以上のように構成することで、携帯端末３０２で測位したＧＰＳ測位位置情報の中で、デジタルカメラ１（３０３）と携帯端末３０２の距離が近い場合のＧＰＳ測位位置情報のみを抽出する事が出来、デジタルカメラ１（３０３）の画像に付加するＧＰＳ測位位置情報の精度を高めることができる。
【００８３】
［第２の実施形態］
第１の実施例では、携帯端末３０２で測位したＧＰＳログ情報をデジタルカメラ１（３０３）に送信し、デジタルカメラ１（３０３）側で撮影した画像にＧＰＳ測位位置情報を付加していたが、デジタルカメラ１（３０３）で撮影した画像を、携帯端末３０２に送信し、携帯端末３０２側で受信した画像にＧＰＳ測位位置情報を付加してもよい。この場合、ＧＰＳ記録ログの中から、受信した画像の接続機器名称、及び、撮影時間に近いＧＰＳ測位時間、ＧＰＳログ信頼度４０５の設定に一致するＧＰＳ記録ログを検索し、合致した場合受信した画像にＧＰＳ測位位置情報を付加する。
【００８４】
以上のように構成することで、携帯端末３０２で測位したＧＰＳ測位位置情報の中で、デジタルカメラ１（３０３）と携帯端末３０２の距離が近い場合のＧＰＳ測位位置情報のみを抽出する事ができ、携帯端末３０２に取り込んだデジタルカメラ１（３０３）の画像に付加するＧＰＳ測位位置情報の精度を高めることができる。
【００８５】
以上、本発明の好ましい実施形態について説明したが、本発明はこれらの実施形態に限定されず、その要旨の範囲内で種々の変形及び変更が可能である。
【符号の説明】
【００８６】
１０１  撮影レンズ、１０２  ＡＦ駆動部、１２３  マイクロコンピュータ
【図１】
2019009571.tif 000003
【図２】
2019009571.tif 000004
【図３】
2019009571.tif 000005
【図４】
2019009571.tif 000006
【図５】
2019009571.tif 000007
【図６】
2019009571.tif 000008
【図７】
2019009571.tif 000009
【図８】
2019009571.tif 000010